【手続補正書】
【提出日】平成25年2月26日(2013.2.26)
【手続補正１】
【補正対象書類名】特許請求の範囲
【補正対象項目名】全文
【補正方法】変更
【補正の内容】
【特許請求の範囲】
【請求項１】
複数のノードを有する無線ネットワーク・システムであって、前記複数のノードは、互いに通信する送信ノード及びターゲット・ノードを含み、前記複数のノード間で一つの周波数ホッピング・パターンを共用し、前記共用周波数ホッピング・パターンは、一連のタイムスロットに関連するチャンネルを含み、前記タイムスロットは、各々が前記ノードのうちの二つのノード間への割当リンクを有する前記無線ネットワーク・システムにおいて、
各送信ノードについて、一つ以上のチャンネル・リストを含むチャンネル・リスト・テーブルを提供するステップであって、各チャンネル・リストは、ターゲット・ノードとの通信に利用可能な少なくとも一つのチャンネルを含む前記共用周波数ホッピング・パターンのチャンネルの状態を含む前記ステップと、
前記送信ノードにおいて、前記共用周波数ホッピング・パターンから、次の割当タイムスロットのチャンネルを選択するステップと、
前記チャンネル・リスト・テーブルから、前記送信ノードが送信する先の前記ターゲット・ノードの前記チャンネル・リストを選択するステップと、
前記選択されたチャンネル・リストに基づき、前記選択されたチャンネルが利用可能であるかどうかをチェックするステップと、
前記選択されたチャンネルが利用可能な場合、前記送信ノードにおいて、前記選択されたチャンネルを設定するステップと、
前記選択されたチャンネルが利用可能でない場合、前記送信ノードにおいて、前記選択されたチャンネルの代わりに、前記チャンネル・リストから代りのチャンネルを計算するステップとを含む方法。
【請求項２】
前記次の割当タイムスロットが到達するのを待つステップと、
前記次の割当タイムスロットにおいて、前記送信ノードから前記ターゲット・ノードへデータを送信するステップとを更に含む、請求項１に記載の方法。
【請求項３】
前記共用周波数ホッピング・パターンの前記タイムスロットは、一連のフレーム内に配置されており、各フレームは、フレーム番号を有し、複数のタイムスロットを含み、
前記代りのチャンネルを計算するステップは、前記選択されたチャンネル・リストから作成された利用可能チャンネル・リストから代りのチャンネルを選択するステップを含む、請求項１に記載の方法。
【請求項４】
前記代りのチャンネルを選択するステップは、Ｆ（ｘ，ｙ）＝［ｘ／ｙ］＋ｍｏｄ（ｘ，ｙ）（ここで［ａ］は、「ａ」を超えない最大の整数であり、ｍｏｄ（ｘ，ｙ）は、ｘをｙで割った余りである。）に従って、フレーム番号（ｘ）、前記共用周波数ホッピング・パターンの周期（ｙ）、及びＮ個の利用可能なチャンネルのリストである利用可能チャンネル・リストの長さ（Ｎ）から前記代りのチャンネルのアドレスを計算することを含む、請求項３に記載の方法。
【請求項５】
誤り率に基づく測定及び空間占有率の測定に基づき、チャンネルを判定することにより、前記チャンネル・リストを作成し、
チャンネルの誤り率を得るためのデータが送信されたとき、前記誤り率に基づく測定を行い、
データ送信リンクが割り当てられていないタイムスロットで前記空間占有率の測定を行い、各ノードは、前記共用周波数ホッピング・パターン内の全てのチャンネルにわたって、１回以上の空きチャンネル判定（ＣＣＡ）を実行して、チャンネル毎に前記空きチャンネル判定（ＣＣＡ）がビジーの回数をカウントし、前記チャンネルの空間占有率に関係する干渉の統計的指標を得、
あるチャンネルについて、前記誤り率に基づく測定及び前記空間占有率の測定の一方又は両方が前記チャンネルの不良を示した場合、前記チャンネルを不良チャンネルとし、そうでない場合、前記チャンネルを良好チャンネルとする、請求項１に記載の方法。
【請求項６】
前記誤り率を、パケット誤り率、ビット誤り率及びリンク品質インジケータからなるグループから選択する、請求項５に記載の方法。
【請求項７】
測定された無線信号強度インジケータ（ＲＳＳＩ）がスレッショルド値よりも大である場合、前記ＣＣＡはビジーであり、前記スレッショルド値は、予め設定した固定スレッショルド値、又は前記ＣＣＡを実行する前記ノードの受信機との通信を試みる送信機からの受信信号パワーに応じて変化する可変スレッショルド値の一方である、請求項５に記載の方法。
【請求項８】
互いに通信する送信ノードとターゲット・ノードとを含む複数のノードを有する無線ネットワーク・システムにおける送信ノードであって、メイン送信機及びメイン受信機を有するメイントランシーバと、各送信ノードについて、一つ以上のチャンネル・リストを含むチャンネル・リスト・テーブルを有するコントローラとを備え、各チャンネル・リストは、ターゲット・ノードとの通信に利用可能な少なくとも一つのチャンネルを含む前記共用周波数ホッピング・パターンのチャンネルの状態を含み、前記メイントランシーバは、他のノードのメイントランシーバと一つの周波数ホッピング・パターンを共用し、前記共用周波数ホッピング・パターンは、一連のタイムスロットに関連するチャンネルを含み、前記タイムスロットは、各々が前記ノードのうちの二つのノード間への割当リンクを有する前記送信ノードにおいて、前記コントローラは、
前記送信ノードにおいて、前記共用周波数ホッピング・パターンから、前記メイントランシーバのために次の割当タイムスロットのチャンネルを選択し、
前記チャンネル・リスト・テーブルから、前記メイン送信機により前記送信ノードが送信する先のターゲット・ノードの前記チャンネル・リストを選択し、
前記メイン送信機のために選択されたチャンネル・リストに基づき、前記選択されたチャンネルが利用可能であるかどうかをチェックし、
前記メイン送信機のために選択されたチャンネルが利用可能な場合、前記送信ノードにおいて、前記選択されたチャンネルを設定し、
前記メイン送信機のための選択されたチャンネルが利用可能でない場合、前記送信ノードにおいて、前記選択されたチャンネルの代わりに、前記チャンネル・リストから代りのチャンネルを計算するように構成されるチャンネル設定モジュールを含む、送信ノード。
【請求項９】
前記共用周波数ホッピング・パターンの前記タイムスロットは、一連のフレーム内に配置されており、各フレームは、フレーム番号を有し、複数のタイムスロットを含み、
前記代りのチャンネルを計算するステップは、前記選択されたチャンネル・リストから作成された利用可能チャンネル・リストから代りのチャンネルを選択するステップを含む、請求項８に記載の送信ノード。
【請求項１０】
前記代りのチャンネルの選択は、Ｆ（ｘ，ｙ）＝［ｘ／ｙ］＋ｍｏｄ（ｘ，ｙ）（ここで［ａ］は、「ａ」を超えない最大の整数であり、ｍｏｄ（ｘ，ｙ）は、ｘをｙで割った余りである。）に従って、フレーム番号（ｘ）、前記共用周波数ホッピング・パターンの周期（ｙ）、及びＮ個の利用可能なチャンネルのリストである利用可能チャンネル・リストの長さ（Ｎ）から前記代りのチャンネルのアドレスを計算することを含む、請求項９に記載の送信ノード。
【請求項１１】
誤り率に基づく測定及び空間占有率の測定に基づき、チャンネルを判定することにより、前記チャンネル・リストを作成し、
チャンネルの誤り率を得るためのデータが送信されたとき、前記誤り率に基づく測定を行い、
データ送信リンクが割り当てられていないタイムスロットで前記空間占有率の測定を行い、各ノードは、前記共用周波数ホッピング・パターン内の全てのチャンネルにわたって各ノードは、１回以上の空きチャンネル判定（ＣＣＡ）を実行して、チャンネル毎に空きチャンネル判定（ＣＣＡ）がビジーの回数をカウントし、前記チャンネルの空間占有率に関係する干渉の統計的指標を得、
あるチャンネルについて、前記誤り率に基づく測定及び前記空間占有率の測定の一方又は両方が前記チャンネルの不良を示した場合、前記チャンネルを不良チャンネルとし、そうでない場合、前記チャンネルを良好チャンネルとする、請求項８に記載の送信ノード。
【請求項１２】
前記誤り率を、パケット誤り率、ビット誤り率及びリンク品質インジケータからなるグループから選択する、請求項１１に記載の送信ノード。
【請求項１３】
測定された無線信号強度インジケータ（ＲＳＳＩ）がスレッショルド値よりも大である場合、前記ＣＣＡはビジーであり、前記スレッショルド値は、予め設定した固定スレッショルド値、又は前記ＣＣＡを実行する前記ノードの受信機との通信を試みる送信機からの受信信号パワーに応じて変化する可変スレッショルド値の一方である、請求項１１に記載の送信ノード。
【請求項１４】
サブ送信機及びサブ受信機を含むサブトランシーバを更に備え、
前記メイントランシーバは、前記システムの他のノードのメイントランシーバと前記共用周波数ホッピング・パターンを共用し、
前記サブトランシーバは、前記システムの他のノードのサブトランシーバとオフセット周波数ホッピング・パターンを共用し、前記オフセット周波数ホッピング・パターンは、前記メイントランシーバの前記共用周波数ホッピング・パターンからオフセットしており、前記メイントランシーバ及び前記サブトランシーバは、異なるチャンネルで同じデータを送信し、異なるチャンネルで同じデータを受信する、請求項８に記載の送信ノード。
【請求項１５】
前記コントローラの前記チャンネル設定モジュールは、
前記送信ノードにおいて、前記オフセット周波数ホッピング・パターンから、前記サブトランシーバのために次の割当タイムスロットのチャンネルを選択し、
前記チャンネル・リスト・テーブルから、前記サブ送信機により前記送信ノードが送信する先のターゲット・ノードの前記チャンネル・リストを選択し、
前記サブ送信機のために選択されたチャンネル・リストに基づき、前記オフセット周波数ホッピング・パターンから前記選択されたチャンネルが利用可能であるかどうかをチェックし、
前記サブ送信機のために選択されたチャンネルが利用可能な場合、前記送信ノードにおいて、前記選択されたチャンネルを設定し、
前記サブ送信機のために選択されたチャンネルが利用可能でない場合、前記送信ノードにおいて、前記選択されたチャンネルの代わりに、前記チャンネル・リストから代りのチャンネルを計算するように構成される請求項１４記載の送信ノード。
【請求項１６】
前記サブ送信機は、前記次の割当タイムスロットの到達を待ち、前記次の割当タイムスロットで前記送信ノードから前記ターゲット・ノードにデータを送信する、請求項１５に記載の送信ノード。
【請求項１７】
互いに通信する送信ノードとターゲット・ノードとを含む複数のノードを有する無線ネットワーク・システムにおける送信ノードであって、前記送信ノードは、各々が送信機及び受信機を有する複数のトランシーバと、各送信ノードについて、一つ以上のチャンネル・リストを含むチャンネル・リスト・テーブルを有するコントローラとを備え、各チャンネル・リストは、ターゲット・ノードとの通信に利用可能な少なくとも一つのチャンネルを含む前記共用周波数ホッピング・パターンのチャンネルの状態を含み、前記トランシーバは、各々が他のノードの対応するトランシーバと一つの周波数ホッピング・パターンを共用し、前記共用周波数ホッピング・パターンは、一連のタイムスロットに関連するチャンネルを含み、前記タイムスロットは、各々が前記ノードのうちの二つのノード間への割当リンクを有し、前記コントローラは、
前記送信ノードにおいて、前記共用周波数ホッピング・パターンから、前記複数のトランシーバのうちの一つの送信機を有する一つのトランシーバのために次の割当タイムスロットのチャンネルを選択し、
前記チャンネル・リスト・テーブルから、前記一つの送信機により前記送信ノードが送信する先のターゲット・ノードの前記チャンネル・リストを選択し、
前記一つの送信機のために選択されたチャンネル・リストに基づき、前記選択されたチャンネルが利用可能であるかどうかをチェックし、
前記一つの送信機のために選択されたチャンネルが利用可能な場合、前記送信ノードにおいて、選択されたチャンネルを設定し、
前記一つの送信機のために選択されたチャンネルが利用可能でない場合、前記送信ノードにおいて、前記選択されたチャンネルの代わりに、前記チャンネル・リストから代りのチャンネルを計算するように構成されるチャンネル設定モジュールを含み、
前記複数のトランシーバは、互いにオフセットした周波数ホッピング・パターンを有し、
前記トランシーバは、異なるチャンネルで同じデータを送信し、異なるチャンネルで同じデータを受信するように構成されるチャンネル設定モジュールを含む、送信ノード。
【請求項１８】
前記送信ノードの各送信機は、前記次の割当タイムスロットの到達を待ち、前記次の割当タイムスロットで前記送信ノードから前記ターゲット・ノードにデータを送信する、請求項１７に記載の送信ノード。
【請求項１９】
複数のノードを有する無線ネットワーク・システムであって、前記複数のノードは、互いに通信する送信ノード及びターゲット・ノードを含み、前記複数のノード間で一つの周波数ホッピング・パターンを共用し、前記共用周波数ホッピング・パターンは、一連のタイムスロットに関連するチャンネルを含み、前記タイムスロットは、各々が前記ノードのうちの二つのノード間への割当リンクを有する前記無線ネットワーク・システムにおいて、
各送信ノードにおいて、誤り率測定又は空間占有率の測定に基づき、チャンネルの状態を表すチャンネル・リストを作成するステップと、
前記複数の送信ノードのうち、前記リンクが割り当られた二つのノードで作成された前記チャンネル・リストの少なくとも一つに基づいて、前記共用周波数ホッピング・パターンによる割当リンクのチャンネルの良否判定を行い、利用可能でないチャンネルと判断された場合は、代わりのチャンネルを計算するステップとを含む方法。
【請求項２０】
各送信ノードについて、一つ以上のチャンネル・リストを含むチャンネル・リスト・テーブルを提供するステップであって、各チャンネル・リストは、ターゲット・ノードとの通信に利用可能な少なくとも一つのチャンネルを含む前記共用周波数ホッピング・パターンのチャンネルの状態を含む前記ステップと、
前記代わりチャンネルを計算するステップは、前記送信ノードにおいて、前記共用周波数ホッピング・パターンから、次の割当タイムスロットのチャンネルを選択するステップと、
前記チャンネル・リスト・テーブルから、前記送信ノードが送信する先の前記ターゲット・ノードの前記チャンネル・リストを選択するステップと、
前記選択されたチャンネル・リストに基づき、前記選択されたチャンネルが利用可能であるかどうかをチェックするステップと、
前記選択されたチャンネルが利用可能な場合、前記送信ノードにおいて、前記選択されたチャンネルを設定するステップと、
前記選択されたチャンネルが利用可能でない場合、前記送信ノードにおいて、前記選択されたチャンネルの代わりに、前記チャンネル・リストから代りのチャンネルを計算するステップとを含む、請求項１９に記載の方法。